(57)【要約】【課題】パネル部の変形抵抗を向上させることができる。【解決手段】口部１１、肩部１２、胴部１３および底部１４が合成樹脂で一体に形成されてなり、胴部１３に、その径方向内方に凹んだパネル部１７が、このボトル１０の中心軸線Ｏ回りに間隔をあけて複数設けられた合成樹脂製のボトル１０であって、パネル部１７は、山部１８と谷部１９とが前記中心軸線Ｏ回りに交互に連設されて構成されるとともに、谷部１９は、その外周縁から、この谷部１９の中央部１９ａ、１９ｂに向かうに従い漸次、前記径方向内方に向けた凹み量が大きくなるように直線状に傾斜した複数の傾斜平面２０で構成されている。【選択図】図１
2008132997.tif 000002
【特許請求の範囲】
【請求項１】
口部、肩部、胴部および底部が合成樹脂で一体に形成されてなり、前記胴部に、その径方向内方に凹んだパネル部が、このボトルの中心軸線回りに間隔をあけて複数設けられた合成樹脂製のボトルであって、
前記パネル部は、山部と谷部とが前記中心軸線回りに交互に連設されて構成され、
前記谷部は、その外周縁から、この谷部の中央部に向かうに従い漸次、前記径方向内方に向けた凹み量が大きくなるように直線状に傾斜した複数の傾斜平面で構成されていることを特徴とするボトル。
【請求項２】
請求項１記載のボトルであって、
前記山部は、前記中心軸線方向の上方および下方からそれぞれ、この中心軸線方向の中央部に向かうに従い漸次、前記径方向内方に向けた凹み量が大きくなるように傾斜していることを特徴とするボトル。
【請求項３】
請求項１または２に記載のボトルであって、
前記谷部は、前記パネル部においてこのボトルの周方向における中央部に設けられていることを特徴とするボトル。
【請求項４】
請求項３記載のボトルであって、
前記谷部はパネル部に複数設けられ、これらの谷部のうち、前記パネル部の前記周方向における中央部に設けられた谷部の中央部は、他の谷部よりも前記凹み量が大きくなっていることを特徴とするボトル。
【発明の詳細な説明】
【技術分野】
【０００１】
本発明は、合成樹脂製のボトルに関するものである。
【背景技術】
【０００２】
この種のボトルとして、口部、肩部、胴部および底部が合成樹脂で一体に形成されてなり、前記胴部に、その径方向内方に凹んだパネル部が、このボトルの中心軸線回りに間隔をあけて複数設けられた構成が知られている。このように、胴部にパネル部を設けることによって、高温の内容物をボトルに充填したときに胴部が膨出変形したり、あるいはボトルに密封された内容物の温度が低下したときに、胴部が陥没変形するのを抑制している。
このようなパネル部として、例えば下記特許文献１に示されるような、このパネル部に、横断面視凹曲面状等の補強ビードが前記中心軸線方向に沿って延設された構成が知られている。
【特許文献１】特開平１１−３０１６３３号公報
【発明の開示】
【発明が解決しようとする課題】
【０００３】
しかしながら、前記従来のボトルでは、パネル部において前記補強ビードの周辺部については、例えばボトル内圧や外力等に対する変形抵抗を高めることができるものの、前記補強ビードのうち、最も変形抵抗が低い中央部については改善の余地があった。
特に、近年では、環境問題等に配慮して、合成樹脂材の使用量を低減するために、このボトルを薄肉化する傾向にあるので、前記補強ビードを含むパネル部全体の変形抵抗を向上させることに対する要望が高まっている。
【０００４】
本発明は、このような事情を考慮してなされたもので、パネル部の変形抵抗を向上させることができるボトルを提供することを目的とする。
【課題を解決するための手段】
【０００５】
上記課題を解決して、このような目的を達成するために、本発明のボトルは、口部、肩部、胴部および底部が合成樹脂で一体に形成されてなり、前記胴部に、その径方向内方に凹んだパネル部が、このボトルの中心軸線回りに間隔をあけて複数設けられた合成樹脂製のボトルであって、前記パネル部は、山部と谷部とが前記中心軸線回りに交互に連設されて構成され、前記谷部は、その外周縁から、この谷部の中央部に向かうに従い漸次、前記径方向内方に向けた凹み量が大きくなるように直線状に傾斜した複数の傾斜平面で構成されていることを特徴とする。
この発明によれば、前記谷部が複数の傾斜平面で構成されているので、谷部においてボトル内圧により最も変形し易い中央部が、この谷部において最もボトルの径方向内方に位置する最深部となり、しかもこの最深部に、複数の傾斜平面それぞれの辺稜部の一部が位置することになる。
したがって、胴部に正圧が作用して、谷部がボトル径方向外方に向けて膨出変形しようとしたときに、前記複数の傾斜平面をリブとして作用させることが可能になり、この谷部の膨出変形量を抑えることができる。一方、胴部に負圧が作用して、谷部がボトル径方向内方に向けて陥没変形しようとすると、まず、前記最深部がボトル径方向内方に向けて変形し始め、この変形に、前記複数の傾斜平面を追従させることが可能になり、これらの傾斜平面をそれぞれで偏りなく均等にボトル径方向内方に向けて変形させることができる。したがって、この谷部の全域を偏りなくボトル径方向内方に向けて変形させることが可能になり、減圧吸収機能を高めることができる。
【０００６】
ここで、前記山部は、前記中心軸線方向の上方および下方からそれぞれ、この中心軸線方向の中央部に向かうに従い漸次、前記径方向内方に向けた凹み量が大きくなるように傾斜してもよい。
この場合、山部が、前記中心軸線方向の上方および下方からそれぞれ、この中心軸線方向の中央部に向かうに従い漸次、前記径方向内方に向けた凹み量が大きくなるように傾斜しているので、この山部を、ボトル内圧が作用したときの前述のような谷部の変形挙動に追従させ易くすることが可能になり、前記作用効果が確実に奏功されることになる。
【０００７】
また、前記谷部は、前記パネル部においてこのボトルの周方向における中央部に設けられてもよい。
この場合、谷部が、パネル部における前記周方向の中央部に設けられているので、前述の作用効果が顕著に奏されることになる。
【０００８】
さらに、前記谷部はパネル部に複数設けられ、これらの谷部のうち、前記パネル部の前記周方向における中央部に設けられた谷部の中央部は、他の谷部よりも前記凹み量が大きくなってもよい。
この場合、前述した作用効果がより一層確実に奏功されることになる。
【発明の効果】
【０００９】
この発明に係るボトルによれば、パネル部の変形抵抗を向上させることができる。
【発明を実施するための最良の形態】
【００１０】
以下、図面を参照し、この発明の実施の形態について説明する。本実施形態に係るボトル１０は、図１に示されるように、口部１１、肩部１２、胴部１３および底部１４を備え、これら１１、１２、１３、１４が、それぞれの中心軸線を共通軸上に位置させられた状態で、この共通軸方向の上方から下方に向けてこの順に連設された概略構成とされている。なお、このボトル１０は、例えば二軸延伸ブロー成形によりポリエチレンテレフタレート等の合成樹脂で一体に形成されている。また、口部１１の外周面には雄ねじ部１１ａが形成されており、この雄ねじ部１１ａに図示されないキャップが着脱可能に螺着されるようになっている。
ここで、本実施形態では、肩部１２、胴部１３および底部１４は、横断面形状が多角形状とされており、前記共通軸はこの横断面がなす多角形の中央部を通る直線となっている。以下、この共通軸を中心軸線Ｏという。
【００１１】
胴部１３には、その径方向内方に凹んだパネル部１７が、前記中心軸線Ｏ回りに間隔をあけて複数設けられている。
ここで、図示の例では、胴部１３は、主壁部１５と、この主壁部１５よりも前記中心軸線Ｏ回りの長さが短い隅角壁部１６とが稜線をなして前記中心軸線Ｏ回りに交互に連設されて構成されている。なお、主壁部１５および隅角壁部１６はそれぞれ、胴部１３の側面視で前記中心軸線Ｏ方向に長い長方形状となっている。
【００１２】
そして、前記パネル部１７は主壁部１５に形成されており、このパネル部１７の外周縁は、胴部１３の側面視で前記中心軸線Ｏ方向に長い長方形状となるように、主壁部１５の外周縁に沿って延在している。
なお、図示の例では、主壁部１５および隅角壁部１６はそれぞれ、４つずつ設けられ、２つの主壁部１５が前記中心軸線Ｏを挟んで互いに対向して配置されるとともに、２つの隅角壁部１７も前記中心軸線Ｏを挟んで互いに対向して配置されている。また、パネル部１７は、全ての主壁部１５に形成されている。
【００１３】
さらに、パネル部１７は、山部１８と谷部１９とが前記中心軸線Ｏ回りに交互に連設されて構成されている。図示の例では、山部１８および谷部１９はそれぞれ、前述したパネル部１７の外周縁の上縁から下縁にわたって形成されるとともに、山部１８および谷部１９それぞれのボトル周方向の大きさは互いに同等となっている。すなわち、山部１８および谷部１９はそれぞれ、胴部１３の側面視で前記中心軸線Ｏ方向に長い長方形状となっている。
【００１４】
そして、本実施形態では、パネル部１７において、このボトル１０の周方向における中央部、および両周端部にそれぞれ谷部１９が配置されるとともに、これらの谷部１９同士の間に山部１８が配置されている。以上より、このパネル部１７の前記側面視形状は、前記周方向における中央部を通る仮想直線を基準とした線対称となっている。
【００１５】
ここで、本実施形態では、谷部１９は、その外周縁から、この谷部１９の中央部１９ａ、１９ｂに向かうに従い漸次、前記径方向内方に向けた凹み量が大きくなるように直線状に傾斜した複数の傾斜平面２０で構成されている。なお、谷部１９の中央部１９ａ、１９ｂは、この谷部１９において、前記中心軸線Ｏ方向の中央部で、かつ前記周方向の中央部となっている。
図示の例では、各傾斜平面２０は、胴部１３の側面視において、前述のように長方形状をなす谷部１９の外周縁のうちの一つを一辺に有し、かつ前記中央部１９ａ、１９ｂを一つの頂部に有する三角形状とされ、谷部１９は４つの傾斜平面２０で構成されている。
【００１６】
そして、前述のようにパネル部１７に複数設けられた谷部１９のうち、ボトル１０の周方向における中央部に設けられた谷部１９の前記中央部１９ａは、他の谷部１９の前記中央部１９ｂよりも前記凹み量が大きく、このパネル部１７において最もボトル１０の径方向内方に位置する最深部となっている。
一方、山部１８は、前記中心軸線Ｏ方向の上方および下方からそれぞれ、この中心軸線Ｏ方向の中央部に向かうに従い漸次、ボトル１０の径方向内方に向けた凹み量が大きくなるように傾斜している。図示の例では、山部１８は前述のように傾斜した傾斜平面とされている。
【００１７】
以上説明したように本実施形態に係るボトル１０によれば、谷部１９が複数の傾斜平面２０で構成されているので、谷部１９において、ボトル内圧により最も変形し易い、前記中央部１９ａが、この谷部１９において最もボトル１０の径方向内方に位置する最深部となり、しかもこの最深部に、複数の傾斜平面２０それぞれの辺稜部の一部が位置することになる。
したがって、胴部１３に正圧が作用して、谷部１９がボトル１０の径方向外方に向けて膨出変形しようとしたときに、複数の傾斜平面２０をリブとして作用させることが可能になり、この谷部１９の膨出変形量を抑えることができる。
【００１８】
一方、胴部１３に負圧が作用して、谷部１９がボトル１０の径方向内方に向けて陥没変形しようとすると、まず、前記最深部がボトル１０の径方向内方に向けて変形し始め、この変形に、複数の傾斜平面２０を追従させることが可能になり、これらの傾斜平面２０をそれぞれで偏りなく均等にボトル１０の径方向内方に向けて変形させることができる。したがって、この谷部１９の全域を偏りなくボトル１０の径方向内方に向けて変形させることが可能になり、減圧吸収機能を高めることができる。
【００１９】
また、本実施形態では、山部１８が、前記中心軸線Ｏ方向の上方および下方からそれぞれ、この中心軸線Ｏ方向の中央部に向かうに従い漸次、前記径方向内方に向けた凹み量が大きくなるように傾斜しているので、この山部１８を、ボトル内圧が作用したときの前述のような谷部１９の変形挙動に追従させ易くすることが可能になり、前記作用効果が確実に奏功されることになる。
【００２０】
さらに、本実施形態では、パネル部１７における前記周方向の中央部に、前記中央部１９ａを最深部とした谷部１９が設けられているので、前述の作用効果が顕著に奏されることになる。
【００２１】
また、本実施形態では、谷部１９がパネル部１７に複数設けられ、これらの谷部１９のうち、パネル部１７の前記周方向における中央部に設けられた谷部１９の前記中央部１９ａが、他の谷部１９の前記中央部１９ｂよりも前記凹み量が大きくなっているので、前述した作用効果がより一層確実に奏功されることになる。
【００２２】
なお、本発明の技術的範囲は前記実施の形態に限定されるものではなく、本発明の趣旨を逸脱しない範囲において種々の変更を加えることが可能である。
例えば、前記実施形態では、胴部１３として、稜線を介して中心軸線Ｏ回りに交互に連設された主壁部１５と隅角壁部１６とを備える構成を示したが、これに代えて、複数の主壁部１５を、隅角壁部１６を介在させないで稜線のみを介して中心軸線Ｏ回りに連設するようにしてもよい。
また、前記実施形態では、胴部１３の横断面視形状を多角形状としたが、これに代えて例えば円形状としてもよい。
【００２３】
さらに、谷部１９は、その外周縁から、この谷部１９の中央部１９ａ、１９ｂに向かうに従い漸次、このボトル１０の径方向内方に向けた凹み量が大きくなるように直線状に傾斜した複数の傾斜平面２０で構成されていれば、前記実施形態に限られるものではない。
また、山部１８は、前記実施形態に限らず、例えばその全域にわたって前記中心軸線Ｏと平行に延在させてもよく、あるいはボトル１０の径方向に凸または凹の曲面状に形成してもよい。さらに、前記実施形態では、山部１８を平面にしたが、これに代えて例えば、稜線としてもよい。
【００２４】
また、パネル部１７として、その前記周方向の中央部に山部１８が設けられた構成を採用してもよい。
さらに、パネル部１７に設けられた複数の谷部１９それぞれの前記中央部１９ａ、１９ｂにおけるボトル１０の径方向内方に向けた凹み量は全ての谷部１９について同等にしてもよい。
また、前記実施形態では、パネル部１７に設ける谷部１９および山部１８の各個数は前記実施形態に限られるものではない。
【産業上の利用可能性】
【００２５】
パネル部の変形抵抗を向上させることができる。
【図面の簡単な説明】
【００２６】
【図１】本発明に係る一実施形態として示したボトルの側面図である。
【図２】図１に示すパネル部のＡ−Ａ線矢視断面図である。
【図３】図１に示すパネル部のＢ−Ｂ線矢視断面図である。
【符号の説明】
【００２７】
１０  ボトル
１１  口部
１２  肩部
１３  胴部
１４  底部
１７  パネル部
１８  山部
１９  谷部
１９ａ、１９ｂ  谷部の中央部
２０  傾斜平面
Ｏ  中心軸線
【図１】
2008132997.tif 000003
【図２】
2008132997.tif 000004
【図３】
2008132997.tif 000005